(57)【要約】【課題】操作性や携帯性を良くしてできるだけ負荷をかけずに、音声が外部へ拡散するのを遮断するか、あるいは、拡散しても周囲に迷惑とならないようにして、セキュアな情報伝達が行える携帯端末を提供する。【解決手段】この携帯端末は、発話者の音声を集音し、該集音した音声を通話相手へ送信する携帯端末であって、発話者の音声を集音する第１集音部と、前記第１集音部で集音された発話者の音声を相殺する音を生成して出力する相殺音生成部と、前記発話者の音声を集音する第２集音部とを備え、前記第２集音部で集音された発話者の音声を通話相手へ送信するようにした。【選択図】図２
2006166300.tif 000002
【特許請求の範囲】
【請求項１】
発話者の音声を集音し、該集音した音声を通話相手へ送信する携帯端末であって、発話者の音声を集音する第１集音部と、前記第１集音部で集音された発話者の音声を相殺する音を生成して出力する相殺音生成部と、前記発話者の音声のみを集音する第２集音部とを備え、前記第２集音部で集音された発話者の音声を通話相手へ送信するようにしたことを特徴とする携帯端末。
【請求項２】
請求項１に記載の携帯端末において、前記相殺音生成部は、前記第１集音部で集音した音の逆位相の音を生成するか、あるいは、前記第１集音部で集音した音を、予め設定しておいた心地良い音へ変換するかのいずれかであることを特徴とする携帯端末。
【請求項３】
請求項１または２に記載の携帯端末において、前記第２集音部は、咽喉マイクあるいは骨伝導マイクのいずれかであることを特徴とする携帯端末。
【請求項４】
発話者の音声を集音し、該集音した音声を通話相手へ送信する携帯端末であって、前記発話者の会話内容が周囲の人に判別できなくなる音を予め設定しておき、該音を発生させて出力する発生音生成部と、前記発生音生成部で出力された音と前記発話者の音声を集音する集音部と、前記集音部で集音された音から、前記発生音生成部で発生させた音の影響を差し引いて、通話相手が理解できる音へ補正する補正部とを備え、前記補正部で補正された発話者の音声を通話相手へ送信することを特徴とする携帯端末。
【請求項５】
発話者の音声を集音し、該集音した音声を通話相手へ送信する携帯端末であって、前記発話者の音声の周波数を変更するガスを発生させるガス発生制御部と、前記発話者の音声を集音する集音部と、前記発生させたガスの種類に応じて変化した発話者の音声の周波数を、ガスの影響を除去した音の周波数に戻して、通話相手が理解できる音へ補正する補正部とを備え、前記補正部で補正された発話者の音声を通話相手へ送信することを特徴とする携帯端末。
【請求項６】
請求項５に記載の携帯端末において、前記ガスは、希ガス元素を含むガスであることを特徴とする携帯端末。
【請求項７】
発話者の音声を集音し、該集音した音声を通話相手へ送信する携帯端末であって、前記発話者の口の近傍を無風状態にするファン制御部と、前記発話者の音声を集音する集音部とを備え、前記ファン制御部によって、前記発話者の口の近傍を無風状態にしてから相手と通話し、前記集音部で集音された発話者の音声を通話相手へ送信することを特徴とする携帯端末。
【請求項８】
発話者の音声を集音し、通信キャリアのサーバを介して、該集音した音声を通話相手へ送信する携帯端末において、前記発話者の会話内容が周囲の人に判別できなくなる音を予め設定しておき、該音を発生させて出力する発生音生成部と、前記発生音生成部で出力された音と前記発話者の音声を集音する集音部と、前記集音部で集音された音と、前記発生音生成部で発生した音とを前記サーバへ送信する送信部を備え、前記サーバでは、集音した音から発生音の影響を差し引いて補正した音を通話相手へ送信することを特徴とする携帯端末。
【請求項９】
発話者の音声を集音し、通信キャリアのサーバを介して、該集音した音声を通話相手へ送信する携帯端末において、前記発話者の音声の周波数を変更するガスを発生させるガス発生制御部と、前記発話者の音声を集音する集音部と、前記集音部で集音された音と、前記発生させたガスの種類とを前記サーバへ送信する送信部を備え、前記サーバでは、発生させたガスの種類に応じて変化した発話者の音声の周波数を、ガスの影響を除去した音の周波数に戻して通話相手へ送信することを特徴とする携帯端末。
【請求項１０】
発話者の音声を集音し、該集音した音声を通話相手へ送信する携帯端末と、該携帯端末の通信キャリアのサーバとからなる通信システムにおいて、
前記携帯端末は、発話者の会話内容が周囲の人に判別できなくなる音を予め設定しておき、該音を発生させて出力する発生音生成部と、前記発生音生成部で出力した音と前記発話者の音声を集音する集音部と、前記集音部で集音された音と、前記発生音生成部で発生した音とを前記サーバへ送信する送信部を備え、
前記サーバは、前記携帯端末から受信した、前記集音された音から、前記発生された音の影響を差し引いて、通話相手が理解できる音へ補正する補正部と、該補正された音を通話相手へ送信する送信部を備えることを特徴とする通信システム。
【請求項１１】
発話者の音声を集音し、該集音した音声を通話相手へ送信する携帯端末と、該携帯端末の通信キャリアのサーバとからなる通信システムにおいて、
前記携帯端末は、前記発話者の音声の周波数を変更するガスを発生させるガス発生制御部と、前記発話者の音声を集音する集音部と、前記集音部で集音された音と、前記発生させたガスの種類とを前記サーバへ送信する送信部を備え、
前記サーバは、前記携帯端末から受信した、前記発生させたガスの種類に応じて変化した発話者の音声の周波数を、ガスの影響を除去した音の周波数に戻して、通話相手が理解できる音へ補正する補正部と、該補正された音を通話相手へ送信する送信部を備えることを特徴とする通信システム。
【請求項１２】
第１集音部で発話者の音声を集音しながら、前記集音された音声を相殺する音を生成して出力するとともに、前記第１集音部で集音すると同時に、第２集音部で集音した前記発話者の音声を通話相手へ送信するようにして、発話者の音声を周囲に聞こえなくしたことを特徴とする携帯端末における音声消音方法。
【請求項１３】
発話者の会話内容が周囲の人に判別できなくなる音を予め設定しておき、該音を出力すると同時に、この出力した音と前記発話者の音声を集音し、前記集音された音から、前記発生させた音の影響を差し引いて補正した、発話者の音声を通話相手へ送信するようにして、発話者の音声を周囲に聞こえにくくしたことを特徴とする携帯端末における音声消音方法。
【請求項１４】
発話者の音声の周波数を変更するガスを発生させると同時に、前記発話者の音声と周囲の環境音を集音し、前記発生させたガスの種類に応じて変化した発話者の音声の周波数を、ガスの影響を除去した音の周波数に戻して、通話相手が理解できる音へ補正し、該補正された音を通話相手へ送信するようにして、発話者の音声を周囲に聞こえにくくしたことを特徴とする携帯端末における音声消音方法。
【請求項１５】
ファンによって発話者の口の近傍を無風状態にすると同時に、前記発話者の音声を集音し、前記集音した音声を通話相手へ送信するようにして、発話者の音声を周囲に聞こえにくくしたことを特徴とする携帯端末における音声消音方法。
【請求項１６】
コンピュータに、請求項１乃至９のいずれかに記載の携帯端末の機能、または請求項１０または１１に記載の通信システムの機能を実現させるためのプログラム。
【請求項１７】
コンピュータが読み取り可能な記録媒体であって、請求項１６に記載のプログラムを記録したことを特徴とする記録媒体。
【発明の詳細な説明】
【技術分野】
【０００１】
本発明は、携帯端末、通信システム、携帯端末における音声消音方法、プログラムおよび記録媒体に関し、具体的には、発生した音や音声を消去する技術に関し、ユビキタス環境における情報セキュリティの実現に応用して好適である。
【背景技術】
【０００２】
近年、携帯電話やＰＨＳ（Personal Handy-phone System）等の移動体電話が急激に普及し、その使用人口が年々増加している。これと並行して、移動体電話を開空間（例えば、電車等の公共用の乗物の中、会議等）で使用するときには、話し声が周囲に聞こえてしまうため迷惑を及ぼし社会問題ともなっている。また、プライベートな話あるいは秘密にしておきたい話を他の人に聞かれてしまうという問題が発生している。
【０００３】
このような問題点を解決するために、移動体電話用のイヤホンマイクが開発され、このようなイヤホンマイクを用いて通話することにより、大声で話すことによる問題は一応解消されるが、近くの人に対しては上述のような問題を解消することはできない。
【０００４】
この問題点を解消するために、特許文献１では、軟性及び硬性の二重の遮音材を使用した遮音袋に上開口部遮音筒と横開口部遮音筒を設け、上開口部遮音筒と横開口部遮音筒の中には軟性の遮音材を入れ、柔軟な構造として種種の受話器等に対応でき、持ち歩き可能な構造とし、上開口部遮音筒で話者の口を覆いながら、横開口部遮音筒に受話器を入れ、手で押さえながら使用する。これにより、電話の内容が隣に聞こえたりする心配を無くしたり、携帯電話等使用時のマナー上の問題を解消することができる。
【０００５】
また、特許文献２では、ユーザの口に当接し、ユーザが発声する音声の漏れを防止するカップ状体等よりなる音漏れ防止器を設け、この防止器内にマイクロフォンを設ける。このマイクロフォンに一端を接続して防止器外に導出した適当な長さのコードの他端にプラグを接続する。プラグを移動体電話の端末機のジャックへ差し込み、端末機の受信部を耳に当て、防止器を口に当接して通話する。これにより、心理的な不安感なく通話できると共に通話による周囲の迷惑の問題を解消できる。
【特許文献１】特開平０９−２８４３７３号公報
【特許文献２】特開平０９−３０７６１４号公報
【発明の開示】
【発明が解決しようとする課題】
【０００６】
しかしながら、上述した発明の携帯電話や発声装置では、いずれも口の周囲に袋を当てることによって、音声が外部へ拡散するのを遮断するものであり、このような装置では、操作性、携帯性が悪く、かつ見栄えも悪いものとなっている。
【０００７】
本発明は、上述した実情を考慮してなされたものであって、操作性や携帯性を良くしてできるだけ負荷をかけずに、音声が外部へ拡散するのを遮断するか、あるいは、拡散しても周囲に迷惑とならないようにして、セキュアな情報伝達が行える携帯端末、通信システム、携帯端末における音声消音方法、プログラムおよび記録媒体を提供することを目的とする。
【課題を解決するための手段】
【０００８】
上記問題点を解決するために、請求項１に記載の携帯端末の発明は、発話者の音声を集音し、該集音した音声を通話相手へ送信する携帯端末であって、発話者の音声を集音する第１集音部と、前記第１集音部で集音された発話者の音声を相殺する音を生成して出力する相殺音生成部と、前記発話者の音声のみを集音する第２集音部とを備え、前記第２集音部で集音された発話者の音声を通話相手へ送信するようにしたことを特徴とする。
【０００９】
請求項２に記載の発明は、請求項１に記載の携帯端末において、前記相殺音生成部は、前記第１集音部で集音した音の逆位相の音を生成するか、あるいは、前記第１集音部で集音した音を、予め設定しておいた心地良い音へ変換するかのいずれかであることを特徴とする。
請求項３に記載の発明は、請求項１または２に記載の携帯端末において、前記第２集音部は、咽喉マイクあるいは骨伝導マイクのいずれかであることを特徴とする。
【００１０】
請求項４に記載の携帯端末の発明は、発話者の音声を集音し、該集音した音声を通話相手へ送信する携帯端末であって、前記発話者の会話内容が周囲の人に判別できなくなる音を予め設定しておき、該音を発生させて出力する発生音生成部と、前記発生音生成部で出力された音と前記発話者の音声を集音する集音部と、前記集音部で集音された音から、前記発生音生成部で発生させた音の影響を差し引いて、通話相手が理解できる音へ補正する補正部とを備え、前記補正部で補正された発話者の音声を通話相手へ送信することを特徴とする。
【００１１】
請求項５に記載の携帯端末の発明は、発話者の音声を集音し、該集音した音声を通話相手へ送信する携帯端末であって、前記発話者の音声の周波数を変更するガスを発生させるガス発生制御部と、前記発話者の音声を集音する集音部と、前記発生させたガスの種類に応じて変化した発話者の音声の周波数を、ガスの影響を除去した音の周波数に戻して、通話相手が理解できる音へ補正する補正部とを備え、前記補正部で補正された発話者の音声を通話相手へ送信することを特徴とする。
請求項６に記載の発明は、請求項５に記載の携帯端末において、前記ガスは、希ガス元素を含むガスであることを特徴とする。
【００１２】
請求項７に記載の携帯端末の発明は、発話者の音声を集音し、該集音した音声を通話相手へ送信する携帯端末であって、前記発話者の口の近傍を無風状態にするファン制御部と、前記発話者の音声を集音する集音部とを備え、前記ファン制御部によって、前記発話者の口の近傍を無風状態にしてから相手と通話し、前記集音部で集音された発話者の音声を通話相手へ送信することを特徴とする。
【００１３】
請求項８に記載の携帯端末の発明は、発話者の音声を集音し、通信キャリアのサーバを介して、該集音した音声を通話相手へ送信する携帯端末において、前記発話者の会話内容が周囲の人に判別できなくなる音を予め設定しておき、該音を発生させて出力する発生音生成部と、前記発生音生成部で出力された音と前記発話者の音声を集音する集音部と、前記集音部で集音された音と、前記発生音生成部で発生した音とを前記サーバへ送信する送信部を備え、前記サーバでは、集音した音から発生音の影響を差し引いて補正した音を通話相手へ送信することを特徴とする。
【００１４】
請求項９に記載の携帯端末の発明は、発話者の音声を集音し、通信キャリアのサーバを介して、該集音した音声を通話相手へ送信する携帯端末において、前記発話者の音声の周波数を変更するガスを発生させるガス発生制御部と、前記発話者の音声を集音する集音部と、前記集音部で集音された音と、前記発生させたガスの種類とを前記サーバへ送信する送信部を備え、前記サーバでは、発生させたガスの種類に応じて変化した発話者の音声の周波数を、ガスの影響を除去した音の周波数に戻して通話相手へ送信することを特徴とする。
【００１５】
請求項１０に記載の通信システムの発明は、発話者の音声を集音し、該集音した音声を通話相手へ送信する携帯端末と、該携帯端末の通信キャリアのサーバとからなる通信システムにおいて、前記携帯端末は、発話者の会話内容が周囲の人に判別できなくなる音を予め設定しておき、該音を発生させて出力する発生音生成部と、前記発生音生成部で出力した音と前記発話者の音声を集音する集音部と、前記集音部で集音された音と、前記発生音生成部で発生した音とを前記サーバへ送信する送信部を備え、前記サーバは、前記携帯端末から受信した、前記集音された音から、前記発生された音の影響を差し引いて、通話相手が理解できる音へ補正する補正部と、該補正された音を通話相手へ送信する送信部を備えることを特徴とする。
【００１６】
請求項１１に記載の通信システムの発明は、発話者の音声を集音し、該集音した音声を通話相手へ送信する携帯端末と、該携帯端末の通信キャリアのサーバとからなる通信システムにおいて、前記携帯端末は、前記発話者の音声の周波数を変更するガスを発生させるガス発生制御部と、前記発話者の音声を集音する集音部と、前記集音部で集音された音と、前記発生させたガスの種類とを前記サーバへ送信する送信部を備え、前記サーバは、前記携帯端末から受信した、前記発生させたガスの種類に応じて変化した発話者の音声の周波数を、ガスの影響を除去した音の周波数に戻して、通話相手が理解できる音へ補正する補正部と、該補正された音を通話相手へ送信する送信部を備えることを特徴とする。
【００１７】
請求項１２に記載の携帯端末における音声消音方法の発明は、第１集音部で発話者の音声を集音しながら、前記集音された音声を相殺する音を生成して出力するとともに、前記第１集音部で集音すると同時に、第２集音部で集音した前記発話者の音声を通話相手へ送信するようにして、発話者の音声を周囲に聞こえなくしたことを特徴とする。
【００１８】
請求項１３に記載の携帯端末における音声消音方法の発明は、発話者の会話内容が周囲の人に判別できなくなる音を予め設定しておき、該音を出力すると同時に、この出力した音と前記発話者の音声を集音し、前記集音された音から、前記発生させた音の影響を差し引いて補正した、発話者の音声を通話相手へ送信するようにして、発話者の音声を周囲に聞こえにくくしたことを特徴とする。
【００１９】
請求項１４に記載の携帯端末における音声消音方法の発明は、発話者の音声の周波数を変更するガスを発生させると同時に、前記発話者の音声と周囲の環境音を集音し、前記発生させたガスの種類に応じて変化した発話者の音声の周波数を、ガスの影響を除去した音の周波数に戻して、通話相手が理解できる音へ補正し、該補正された音を通話相手へ送信するようにして、発話者の音声を周囲に聞こえにくくしたことを特徴とする。
【００２０】
請求項１５に記載の携帯端末における音声消音方法の発明は、ファンによって発話者の口の近傍を無風状態にすると同時に、前記発話者の音声を集音し、前記集音した音声を通話相手へ送信するようにして、発話者の音声を周囲に聞こえにくくしたことを特徴とする。
【００２１】
請求項１６に記載の発明は、コンピュータに、請求項１乃至９のいずれかに記載の携帯端末の機能、または請求項１０または１１に記載の通信システムの機能を実現させるためのプログラムである。
請求項１７に記載の発明は、コンピュータが読み取り可能な記録媒体であって、請求項１６に記載のプログラムを記録したことを特徴とする記録媒体である。
【発明の効果】
【００２２】
本発明によれば、操作性や携帯性が良くなったため利用者に負荷がかからず、しかも、音声が外部へ拡散するのを遮断したため、セキュアな情報伝達が行えるようになった。
また、音声が周囲に迷惑とならないように外部へ拡散させたので、セキュアな情報伝達が行えるようになった。
【発明を実施するための最良の形態】
【００２３】
以下、本発明の携帯端末、通信システム、携帯端末における音声消音方法に係る好適な実施形態について説明する。
以下では、本発明の携帯端末を携帯電話やＰＨＳ（Personal Handy Phone System）とした場合について説明するが、通話を行う送話器を備えた携帯端末で、周囲に迷惑をかけず、しかも、相手とのセキュアな情報伝達を行いたい場面を持つ携帯端末には同様に適用することができる。
【００２４】
＜実施形態１＞
図１は、本発明の実施形態１に係る携帯端末の外観図である。図１において、本実施形態１の携帯端末は、ケース１０の表面にはキーパネルからなる操作部２１、液晶ディスプレイからなる表示部２２を装備し、ケース１０の上部に装備された伸縮型アンテナ２０、ケース１０の表面の下方には、マイクロフォン１１（第１マイク）、ケース１０の下部２３において着脱可能に装備されたマイクロフォン１４（第２マイク）、ケース１０の裏面側下方には、スピーカ１６が装備されている。
【００２５】
ここで、第１マイク１１は、発話者の音声を取り込む、携帯端末に備えられた通常のマイクロフォンである。第２マイク１４は、必要に応じて着脱できる、喉や耳の下骨に接触させて使用するマイクロフォンであり、喉や骨の振動を取得する。この第２マイク１４には、公知の咽喉マイクや骨伝導マイクを使用することができる。
スピーカ１６は、第１マイク１１から取り込んだ音を相殺して、発話者の音声を聞こえなくする相殺音を出力する。
また、操作部２１は一般的な電話操作のほかに、通常の音声会話を行う通常モードか、あるいは相殺音を発生させて発話者の音声を聞こえなくする相殺モードかのいずれかを選択する切替ボタンを備えている。この切替ボタンは、初期状態では通常モードが選択されている。
【００２６】
図２は、本発明の実施形態１に係る携帯端末の概略構成ブロック図である。図２において、本実施形態１に係る携帯端末は、第１マイク１１、集音部１２、発話集音部１３、第２マイク１４、相殺音生成部１５、スピーカ１６、スイッチ１７、送信部１９、アンテナ２０、操作部２１を含んで構成されている。
【００２７】
まず、操作部２１に備えられた切替ボタンによって通常モードまたは相殺モードのいずれかが発話者によって選択される。
スイッチ１７は、通常モードが選択された場合には、第１マイク１１で取り込んだ発話者の音声を集音部１２へのみ供給し、相殺モードが選択されたときには、第２マイク１１で取り込んだ発話者の音声を相殺音生成部１５へのみ供給するように動作する。また、通常モードでは、第２マイク１４は接続されていないので、送信部１９へは発話集音部１３から入力音信号が供給されない。
【００２８】
これにより、通常モードの場合には、集音部１２で変換された入力音信号をそのまま送信部１９へ供給し、送信部１９は入力音信号を送信可能な信号へ変換してアンテナ２０を介して出力され、通常の携帯端末として使用することができる。
【００２９】
また、操作部２１で相殺モードが選択され、第２マイク１４が接続された場合には、スイッチ１７は第１マイク１１で取り込んだ発話者の音声を集音部１２へは供給せずに、相殺音生成部１５へ供給するように動作する。同時に、第２マイク１４によって喉や骨の振動を取り込み、発話集音部１３で取り込んだ振動を発声による入力音信号へ変換して、変換した入力音信号を送信部１９へ供給し、この入力音信号を送信可能な信号へ変換してアンテナ２０を介して出力する。
【００３０】
一方、相殺音生成部１５は、入力音信号と逆位相音を生成し（図３参照）、スピーカ１６を介して相殺音として外部へ出力する。ここで、相殺音を生成する方法は公知の技術、例えば、特開平０９−２８８４８９号公報や特表２００１−５１４３８０号公報に記載の技術によって実現する。
これにより、相殺モードのときには、第１マイク１１で取り込んだ発話者の音声が相殺され、第２マイク１４で取り込んだ音声のみがアンテナ２０を介して出力されるので、周囲に発話者の音声が聞こえなくなる。
【００３１】
図４は、本実施形態１に係る携帯端末を使ったときの処理手順を示すフローチャートである。
まず、操作部２１に備えられた切替ボタンで、通常モードまたは相殺モードのいずれかが発話者によって選択される（ステップＳ１０）。この切替ボタンは、二者択一スイッチとなっており、現在のモードが通常モードであれば、相殺モードに切り替わる。また、現在のモードが相殺モードであれば、通常モードに切り替わる。また、相殺モードに切り替えた場合には、第２マイク１４もケースの下部２３へ接続させなければならない。
【００３２】
発話者によって相殺モードが選択された場合（ステップＳ１１の「相殺」）、発話者の音声を第１マイク１１で取り込み（ステップＳ１２）、この音の逆位相音を生成してスピーカ１６から外部へ出力する（ステップＳ１３）。
また、第１マイク１１による音の取り込みと同時に、第２マイク１４によって喉や骨の振動を取り込み（ステップＳ１４）、取り込んだ振動を発声による入力音信号へ変換し、この入力音信号を送信可能な信号へ変換してアンテナ２０を介して出力する（ステップＳ１５）。
【００３３】
一方、発話者によって通常モードが選択された場合（ステップＳ１１の「通常」）、発話者の音声を第１マイク１１で取り込み（ステップＳ１６）、取り込まれた音を入力音信号へ変換し、この入力音信号を送信可能な信号へ変換してアンテナ２０を介して出力する（ステップＳ１７）。
【００３４】
以上のように本実施形態１を構成することによって、発話者の音声を相殺するようにしたので、発話者の音声が周囲に漏れることが無くなり、発話者に負荷をかけずにセキュアな情報伝達ができる。
【００３５】
上述の相殺音生成部１５では、発話者の音声を相殺して、周囲には発話者の音声を聞こえなくするようにしたが、周囲の人間にとって心地良い音楽を予め設定しておき、発話者の音声をこの心地良い音楽となるように変換して出力するようにしてもよい。この場合、相殺音生成部１５は、第１マイク１１から取り込んだ発話者の音声をリアルタイムに解析し、設定しておいた心地良い音楽になるように音波をかぶせてスピーカ１６へ出力する。
また、発話者の音声を相殺するか、あるいは、心地良い音楽とするかは、発話者によって選択可能としても良い。
【００３６】
以上のように本実施形態１を変形して構成することによって、発話者の音声を心地良い音楽となるようにしたので、発話者の音声が聞こえなくなり、発話者に負荷をかけずにセキュアな情報伝達ができる。
【００３７】
＜実施形態２＞
本実施形態２は、発話者の音声に対して、別な音（音楽やノイズなど）をかぶせることにより、発話者の音声を周囲の人に判別がつかないようにするものである。本実施形態２に係る携帯端末の外観図は、図１で第２マイク１４が接続されていないものと同じである。
【００３８】
図５は、本発明の実施形態２に係る携帯端末の概略構成ブロック図である。図５において、本実施形態２に係る携帯端末は、マイクロフォン１１、集音部１２、発生音生成部２４、補正部２５、スピーカ１６、スイッチ１７、送信部１９、アンテナ２０、操作部２１を含んで構成されている。図２と同一部分には同一の符号を付して、その説明を省略する。
【００３９】
発話者が操作部２１の切替ボタンを操作してモードを通常モードに切り替えると、スイッチ１７はマイクロフォン１１で取り込んだ発話者の音声を集音部１２で入力音信号へ変換して、送信部１９へ供給するように動作する。その後で、送信部１９で入力音信号を送信可能な信号へ変換して、アンテナ２０を介して出力される。この通常モードの場合、発生音生成部２４は動作しない。
【００４０】
一方、相殺モードに切り替えられた場合、スイッチ１７は、集音部１２で変換された入力音信号を補正部２５のみへ供給するように動作する。また、同時に、発生音生成部２４を、モードが通常モードへ切り替わるまで動作させて、発話者の音声が周囲の人に判別できないようにさせる。
【００４１】
この発生音生成部２４は、発話者の音声が周囲の人に判別できなくなるような音（音楽やノイズなど）を常時生成し、生成した音をスピーカ１６へ出力する。ここで、発話者の音声が高音であったり、大声であったりする場合には、これらの音の周波数や音圧等を考慮に入れた音（音楽やノイズなど）を予め設定しておく。
【００４２】
発生音生成部２４で発生させた後は、マイクロフォン１１を通して集音された音には、発話者の音声に発生音生成部２４により発生された音がかぶさっている。そのため、そのまま送信したのでは通話の相手に理解されない。そこで、補正部２５では、マイクロフォン１１で集音された音から、発生音生成部２４により生成された音（この音波は、予め設定したものであるので既知である）を差し引いて補正を行い、発話者の音声だけを抽出して、送信部１９へ供給し、アンテナ２０を介して出力する。
【００４３】
次に、図６は、本実施形態２に係る携帯端末を使ったときの処理手順を示すフローチャートである。
まず、発話者によって、操作部２１に備えられた切替ボタンによって通常モードまたは相殺モードのいずれかが選択される（ステップＳ２０）。この切替ボタンは、二者択一スイッチとなっており、現在のモードが通常モードであれば、相殺モードに切り替わる。また、現在のモードが相殺モードであれば、通常モードに切り替わる。
【００４４】
発話者によって相殺モードが選択された場合（ステップＳ２１の「相殺」）、予め設定されている本人の音声とは別の発生音を常時流すとともに、発話者の音声をマイクロフォン１１で取り込みながら（ステップＳ２２）、この音から予め設定されている発生音を差し引いて、送信可能な信号へ変換してアンテナ２０を介して出力する（ステップＳ２３）。
【００４５】
一方、発話者によって通常モードが選択された場合（ステップＳ２１の「通常」）、発話者の音声をマイクロフォン１１で取り込み、送信可能な信号へ変換してアンテナ２０を介して出力する（ステップＳ２４）。
【００４６】
また、この補正部２５を携帯端末ではなく携帯の通信キャリアのサーバ内に設けるようにしてもよい（図７参照）。この場合、携帯端末の送信部１９は、集音部１２で集音した音と、発生音生成部２４で生成した音またはその音を表すパラメータとを通信キャリアのサーバへ送信する。通信キャリアのサーバでは、受信した音から生成音を差し引いて補正を行って、通話相手へ送信する。
【００４７】
以上のように本実施形態２を構成することによって、発話者の音声とは別な音（音楽やノイズなど）を発話者の音声にかぶせることにより、発話者の音声が周囲に聞こえにくくなるので、発話者に負荷をかけずにセキュアな情報伝達ができる。
【００４８】
＜実施形態３＞
本実施形態３は、発話時に音声の周波数を変更させるガスを携帯電話から噴射させて、発話者の音声を周囲に聞こえにくくするものである。
図８は、本発明の実施形態３に係る携帯端末の外観図である。図８において、本実施形態３に係る携帯端末は、ケース１０の表面にはキーパネルからなる操作部２１、液晶ディスプレイからなる表示部２２を装備し、ケース１０の上部に装備された伸縮型アンテナ２０、ケース１０の表面の下方には、発話者の音声を取り込むマイクロフォン１１、ケース１０の側面において着脱可能にガスボンベ２６およびチューブ２７が装備されている。
【００４９】
このガスボンベ２６は、空気とは音の伝達速度が異なる希ガス元素を含むガス、例えば、音を高くするヘリウムガスを含むガスや音を低くするネオンガス、キセノンガスを含むガスが充填されている。また、このガスボンベ２６にはガスを出す元栓があり、発話者がこの元栓を開けたり閉めたりすることによって、ガスの噴出開始および終了がなされる。
また、チューブ２７は、ガスボンベ２６から出されたガスを携帯端末の周辺へ導くものである。
【００５０】
図９は、本発明の実施形態３に係る携帯端末の概略構成ブロック図である。図９において、本実施形態３に係る携帯端末は、マイクロフォン１１、集音部１２、スイッチ１７、補正部２５、ガス発生制御部２８、ガスセンサ２９、ガス調整弁３０、ガスボンベ２６、送信部１９、アンテナ２０、操作部２１を含んで構成されている。
【００５１】
発話者が操作部２１の切替ボタンを操作してモードを通常モードに切り替えると、スイッチ１７はマイクロフォン１１で取り込んだ発話者の音声を、集音部１２で入力音信号へ変換して送信部１９へ供給するように動作する。その後で、送信部１９で入力音信号を送信可能な信号へ変換して、アンテナ２０を介して出力される。この通常モードの場合には、ガスボンベ２６やチューブ２７は取り付けない。
【００５２】
一方、相殺モードに切り替える場合には、まず、発話者がガスボンベ２６の元栓を開き、切替ボタンを操作して相殺モードに切り替える。
相殺モードに切り替わると、スイッチ１７は、集音部１２で変換された入力音信号を補正部２５のみへ供給するように動作し、同時にガス発生制御部２８が起動する。
このガス発生制御部２８は、マイクロフォン１１の周辺のガスの濃度をガスセンサ２９で検出し、ガス調整弁３０の開閉を制御して、音声が聞こえにくくなるようなガス濃度に調整し、この調整したガスをチューブ２７で携帯端末の周辺へ出す。
【００５３】
補正部２５では、マイクロフォン１１で集音された音に対して、ガスセンサ２９で検出したガスの種類と濃度に応じて変化した発話者の音声の周波数を、ガスの影響を除去した周波数に戻すように補正を行い、送信部１９へ供給し、通信可能に変換してアンテナ２０を介して出力する。
【００５４】
また、この補正部２５を携帯端末ではなく携帯の通信キャリアのサーバ内に設けるようにしてもよい。この場合、携帯端末の送信部１９は、集音部１２で集音した音と、ガス発生制御部２８で調整したガスの濃度とガスの種類とを通信キャリアのサーバへ送信する。通信キャリアのサーバでは、ガスの種類とガスの濃度に応じて変化した発話者の音声の周波数を、ガスの影響を除去した周波数に戻すように補正を行って、通話相手へ送信する。
【００５５】
以上のように本実施形態３を構成することによって、希ガス元素を含むガスを携帯端末の周辺に噴出させて、発声した音声の周波数を変更させ、音声が周囲に聞こえにくくしたので、発話者に負荷をかけずにセキュアな情報伝達ができる。
【００５６】
＜実施形態４＞
本実施形態４は、携帯端末の周囲から風を発して音を消去するものである。図１０は、本発明の実施形態４に係る携帯端末の外観図である。図１０において、本実施形態４に係る携帯端末は、ケース１０の表面にはキーパネルからなる操作部２１、液晶ディスプレイからなる表示部２２を装備し、ケース１０の上部に装備された伸縮型アンテナ２０、ケース１０の表面の下方には、発話者の音声を取り込むマイクロフォン１１、ケース１０の上部、下部、および左右側面には風を噴出す噴出孔３１が設けられている。
また、ケースの中には風を発生するファンのような装置が内蔵されており、その装置で発生された風はこの噴出孔３１から吐き出される。さらに、このファンの電源をＯＮ／ＯＦＦするファン電源ボタンが操作部２１に設けられている。
【００５７】
図１１は、本発明の実施形態４に係る携帯端末の概略構成ブロック図である。図１１において、本実施形態４に係る携帯端末は、マイクロフォン１１、集音部１２、ファン制御部３２、送信部１９、アンテナ２０、操作部２１を含んで構成されている。
【００５８】
本実施形態４では、常に、マイクロフォン１１で取り込んだ発話者の音声を集音部１２で入力音信号へ変換して送信部１９へ供給し、送信部１９で入力音信号を送信可能な信号へ変換して、アンテナ２０を介して出力している。
【００５９】
一方、発話者が自分の音声を周囲の人に聞かれたくないときには、発話者が操作部２１のファン電源ボタンをＯＮにして、ファンを回転させて風量を調節するファン制御部３２を動作させて、携帯端末の周囲に設けた噴出孔３１から風を吐き出させ、マイクロフォン１１の近傍を無風状態にする。これにより、音声が空気によって運ばれなくなり、周囲に発話者の音声が聞こえなくなる。
【００６０】
以上のように本実施形態４を構成することによって、マイクロフォンの近傍を無風状態にしたため、発話者の音声が周囲に聞こえにくくなるので、発話者に負荷をかけずにセキュアな情報伝達ができる。
【００６１】
＜実施形態５＞
本発明は、上述した実施形態のみに限定されたものではない。上述した実施形態を構成する各機能をそれぞれプログラム化し、予めＲＯＭ等の記録媒体に書き込んでおき、携帯端末にこのＲＯＭを装着して、このＲＯＭから読み取ったプログラムをマイクロプロセッサで実行することによって、本発明の目的が達成されることは言うまでもない。この場合、記録媒体から読み出されて実行された状態が上述した実施形態の機能を実現することになり、そのプログラムおよびそのプログラムを記録した記録媒体も本発明を構成することになる。
【００６２】
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等の通信網を介して記憶装置に格納されたプログラムをサーバコンピュータから直接供給を受けるようにしてもよい。この場合、このサーバコンピュータの記憶装置も本発明の記録媒体に含まれる。
【００６３】
このように、上述した実施形態の機能をプログラム化して流通させることによって、コストの低廉化、および可搬性や汎用性を向上させることができる。
【図面の簡単な説明】
【００６４】
【図１】実施形態１に係る携帯端末の外観図である。
【図２】実施形態１に係る携帯端末の概略構成ブロック図である。
【図３】集音された音と相殺音との関係を示す図である。
【図４】実施形態１に係る携帯端末を使ったときの処理手順を示すフローチャートである。
【図５】実施形態２に係る携帯端末の概略構成ブロック図である。
【図６】実施形態２に係る携帯端末を使ったときの処理手順を示すフローチャートである。
【図７】実施形態２に係る携帯端末の他の概略構成ブロック図である。
【図８】実施形態３に係る携帯端末の外観図である。
【図９】実施形態３に係る携帯端末の概略構成ブロック図である。
【図１０】実施形態４に係る携帯端末の外観図である。
【図１１】実施形態４に係る携帯端末の概略構成ブロック図である。
【符号の説明】
【００６５】
１０…ケース、１１…マイクロフォン（第１マイク）、１２…集音部、１３…発話集音部、１４…マイクロフォン（第２マイク）、１５…相殺音生成部、１６…スピーカ、１７…スイッチ、１９…送信部、２０…伸縮型アンテナ、２１…操作部、２２…表示部、２３…ケースの下部、２４…発生音生成部、２５…補正部、２６…ガスボンベ、２７…チューブ、２８…ガス発生制御部、２９…ガスセンサ、３０…ガス調整弁、３１…噴出孔、３２…ファン制御部。
【図１】
2006166300.tif 000003
【図２】
2006166300.tif 000004
【図３】
2006166300.tif 000005
【図４】
2006166300.tif 000006
【図５】
2006166300.tif 000007
【図６】
2006166300.tif 000008
【図７】
2006166300.tif 000009
【図８】
2006166300.tif 000010
【図９】
2006166300.tif 000011
【図１０】
2006166300.tif 000012
【図１１】
2006166300.tif 000013